(57)【要約】【課題】１２桁の被接続側ＢＤ＿ＡＤＤＲを、１２桁未満の桁数に簡略化することで、ＢＤ＿ＡＤＤＲ表示装置を小型化すること。【解決手段】接続側のＢＤ内部に格納するＡＤＤＲ＿Ｔに被接続側のＢＤ＿ＡＤＤＲを搭載する工程（Ｓ１）と、１６進数１２桁の被接続側のＢＤ＿ＡＤＤＲを１６ｎの値で割ったときのｎ桁の余りを被接続側のＮｅｗ＿ＢＤ＿ＡＤＤＲとする工程（Ｓ２）と、ｎ桁のＮｅｗ＿ＢＤ＿ＡＤＤＲが、ＡＤＤＲ＿Ｔに既存するＢＤ＿ＡＤＤＲと一致するか否かの判断をする工程（Ｓ３）と、一致するとの判断の場合、ｎ桁のＮｅｗ＿ＢＤ＿ＡＤＤＲの文字属性を変更する工程（Ｓ４）と、ｎ桁のＮｅｗ＿ＢＤ＿ＡＤＤＲまたは文字属性が変更されたｎ桁のＮｅｗ＿ＢＤ＿ＡＤＤＲを表示画面に表示させる工程（Ｓ６）とを有する。【選択図】  図３
2004214904.tif 000002
【特許請求の範囲】
【請求項１】
個々に１６進数１２桁のブルートゥースアドレスを保有するブルートゥースデバイスにおいて、
接続側のブルートゥースデバイスが、種々のブルートゥースデバイスの中から被接続側のブルートゥースデバイスを識別するために、接続側のブルートゥースデバイス内部に格納するアドレステーブルに、前記被接続側のブルートゥースデバイスのアドレスを搭載する工程と、
１６進数１２桁の被接続側のブルートゥースデバイスのアドレスを１６ｎの値で割ったときの余りを算出し、ｎ桁の余りを前記被接続側のブルートゥースデバイスのＮｅｗ＿アドレスとする工程と、
前記ｎ桁のＮｅｗ＿アドレスが、前記アドレステーブルに既存するブルートゥースデバイスのアドレスと一致するか否かの判断をする工程と、
一致するとの判断の場合、前記既存するブルートゥースデバイスのアドレスと差別化するために、前記ｎ桁のＮｅｗ＿アドレスの文字属性を変更する工程と、
前記１６進数１２桁の被接続側のブルートゥースデバイスのアドレスと、前記ｎ桁のＮｅｗ＿アドレスまたは前記文字属性が変更されたｎ桁のＮｅｗ＿アドレスとを対応させ、対応表として前記アドレステーブルに登録する工程と、
前記対応表から、前記１６進数１２桁の被接続側のブルートゥースデバイスのアドレスを、前記ｎ桁のＮｅｗ＿アドレスまたは前記文字属性が変更されたｎ桁のＮｅｗ＿アドレスとして表示画面に表示させる工程とを有することを特徴とするブルートゥースデバイスのアドレス表示桁数変更方法。
【請求項２】
前記表示装置が、表示画面を自動的または手動的にスクロールさせる機能を有することを特徴とする請求項１または２記載のブルートゥースデバイスのアドレス表示桁数変更方法。
【請求項３】
前記文字属性として、正転文字および反転文字を利用することを特徴とする請求項１または２記載のブルートゥースデバイスのアドレス表示桁数変更方法。
【請求項４】
前記文字属性として、第一色および前記第一色以外の第二色を利用することを特徴とする請求項１または２記載のブルートゥースデバイスのアドレス表示桁数変更方法。
【発明の詳細な説明】
【０００１】
【発明の属する技術分野】
ブルートゥースデバイス固有の識別用アドレスの表示方法に係り、特にブルートゥースデバイスのアドレス表示装置の小型化を実現するブルートゥースデバイスのアドレス表示桁数変更方法に関する。
【０００２】
【従来の技術】
ブルートゥースデバイス（以下、「ＢＤ」という。）の識別用アドレス（以下「ＢＤ＿ＡＤＤＲ」という。）は、各メーカー別に、ＢＤ出荷時に固定的に割り振られる。ＢＤはそれぞれ１６進数、１２桁のＢＤ＿ＡＤＤＲを持っているので、ＢＤのそれぞれをＢＤ＿ＡＤＤＲによって識別でき、差別化することができる（例えば、非特許文献１参照）。
【０００３】
ＢＤ間の接続において、双方向通信を行なうために、接続側ＢＤに、目的とする被接続側ＢＤの１２桁のＢＤ＿ＡＤＤＲの設定を行う必要がある。ＢＤ＿ＡＤＤＲの設定とは、接続者が接続側の表示装置に、１６進数１２桁の被接続側のＢＤ＿ＡＤＤＲを入力することで、被接続側ＢＤにおけるＢＡ＿ＡＤＤＲを確定させることをいう。
【０００４】
加えて、ＢＤ間の接続中、接続側ＢＤの表示装置の表示画面に、被接続側の１２桁のＢＤ＿ＡＤＤＲを表示させることで、接続者が接続状態の有無を確認できる。よって、表示装置は１２桁のＢＤ＿ＡＤＤＲに対応するために、１２桁を表示できる表示画面および表示装置を備える。
【０００５】
【非特許文献１】
Ｐａｌｏｗｉｒｅｌｅｓｓ  Ｐｙｔ  Ｌｔｄ．、「Ｐａｌｏｗｉｒｅｌｅｓｓ」、〔ｏｎｌｉｎｅ〕、Ｇｌｏｓｓａｒｙ頁、〔平成１４年９月１８日検索〕、インターネット＜ＵＲＬ：ｈｔｔｐ：／／ｗｗｗ．ｐａｌｏｗｉｒｅｌｅｓｓ．ｃｏｍ／ｂｌｕｅｔｏｏｔｈ／＞
【０００６】
【発明が解決しようとする課題】
ＢＤに接続される操作部は、表示装置、被接続側切り替えスイッチ部、音声通話制御スイッチ部等から構成されるが、その中でも、１２桁のＢＤ＿ＡＤＤＲを表示させる表示装置の占有する割合が大きい。表示装置は、例えば、装置の設置空間・場所に制約のある車載機器あるいは携帯性を求める携帯機器において、表示装置自体の大きさが問題となってきた。
【０００７】
そこで、接続側ＢＤに接続される操作部の小型化の観点から、表示装置自体の機能性を維持する一方、操作部を構成する表示装置の小型化を実現させる技術の開発が必要となっている。
【０００８】
表示装置の大きさは、表示装置に備えられる表示画面の大きさに依存する。表示画面の大きさは、通信利用者が視覚的に表示画面に表示される文字を認識できることと、複数のＢＤから所要のＢＤを識別するためにＢＤ＿ＡＤＤＲを表示できることによって決定される。
【０００９】
表示画面を単純に小さくすると、表示画面に表示される１６進数１２桁の被接続側のＢＤ＿ＡＤＤＲの文字自体が小さくなり、接続者が表示される文字を視覚的に認識できない可能性がある。接続者が表示画面に表示される文字を認識できるか否かは、通信利用者の視力、通信利用環境等によってばらつきがあるからである。
【００１０】
一方、複数のＢＤの中から被接続側ＢＤを識別するために、接続側ＢＤが、接続側ＢＤの表示画面に、１６進数１２桁の被接続側ＢＤのＢＤ＿ＡＤＤＲを表示する。言い換えれば、接続側ＢＤの表示画面で、被接続側ＢＤのＢＤ＿ＡＤＤＲを識別さえできれば、接続側ＢＤの表示画面に被接続側ＢＤのＢＤ＿ＡＤＤＲの１２桁全文字を表示させる必要はない。
【００１１】
本発明は、上述した事情を考慮してなされたもので、１２桁の被接続側ＢＤのＢＤ＿ＡＤＤＲを１２桁未満の桁数に簡略化すること、および、接続側の表示装置の表示画面をスクロールさせることで、ＢＤ＿ＡＤＤＲ表示装置を小型化できるＢＤ＿ＡＤＤＲ表示桁数変更方法を提供することを目的とする。
【００１２】
【課題を解決するための手段】
本発明に係るＢＤ＿ＡＤＤＲ表示桁数変更方法は、上述した課題を解決するために請求項１に記載したように、個々に１６進数１２桁のブルートゥースアドレスを保有するブルートゥースデバイスにおいて、接続側のブルートゥースデバイスが、種々のブルートゥースデバイスの中から被接続側のブルートゥースデバイスを識別するために、接続側のブルートゥースデバイス内部に格納するアドレステーブルに、前記被接続側のブルートゥースデバイスのアドレスを搭載する工程と、１６進数１２桁の被接続側のブルートゥースデバイスのアドレスを１６ｎの値で割ったときの余りを算出し、ｎ桁の余りを前記被接続側のブルートゥースデバイスのＮｅｗ＿アドレスとする工程と、前記ｎ桁のＮｅｗ＿アドレスが、前記アドレステーブルに既存するブルートゥースデバイスのアドレスと一致するか否かの判断をする工程と、一致するとの判断の場合、前記既存するブルートゥースデバイスのアドレスと差別化するために、前記ｎ桁のＮｅｗ＿アドレスの文字属性を変更する工程と、前記１６進数１２桁の被接続側のブルートゥースデバイスのアドレスと、前記ｎ桁のＮｅｗ＿アドレスまたは前記文字属性が変更されたｎ桁のＮｅｗ＿アドレスとを対応させ、対応表として前記アドレステーブルに登録する工程と、前記対応表から、前記１６進数１２桁の被接続側のブルートゥースデバイスのアドレスを、前記ｎ桁のＮｅｗ＿アドレスまたは前記文字属性が変更されたｎ桁のＮｅｗ＿アドレスとして表示画面に表示させる工程とを有することを特徴とする。
【００１３】
また、本発明のＢＤ＿ＡＤＤＲ表示桁数変更方法は、請求項２に記載したように、前記表示装置が、表示画面を自動的または手動的にスクロールさせる機能を有することを特徴とする。
【００１４】
さらに、本発明のＢＤ＿ＡＤＤＲ表示桁数変更方法は、請求項３に記載したように、前記文字属性として、正転文字および反転文字を利用することを特徴とする。
【００１５】
最後に、本発明のＢＤ＿ＡＤＤＲ表示桁数変更方法は、請求項４に記載したように、前記文字属性として、第一色および前記第一色以外の第二色を利用することを特徴とする。
【００１６】
【発明の実施の形態】
以下、本発明に係るＢＤ＿ＡＤＤＲ表示桁数変更方法の実施の形態について、添付図面を参照して説明する。
【００１７】
図１は、接続側ＢＤと被接続側ＢＤ間の無線通信を示す概略図である。
【００１８】
図１には接続側ＢＤ１を示し、接続側ＢＤ１内部に図示しない接続側ブルートゥースモジュール（以下、「ＢＭ」という。）が格納される。
【００１９】
接続側ＢＤ１には、接続側アンテナ１１と、外部電源１２と、操作部１３とが接続される。接続側アンテナ１１は、接続側ＢＤ１に格納される接続側ＢＭに対応するように備えられる。
【００２０】
また、操作部１３には、被接続側ＢＤ１２のＢＤ＿ＡＤＤＲの表示機能を有する表示装置１４と、この表示装置１４に表示画面１５とが備えられる。なお、表示画面１５には、被接続側ＢＤ２１のＢＤ＿ＡＤＤＲが表示されるので、１６進数１２桁の被接続側ＢＤ２１のＢＤ＿ＡＤＤＲであれば、表示画面１５には１２桁の文字が表示される。
【００２１】
さらに、操作部１３は、アプリケーションの切り替え、音量調整、電源オン／オフ等の各種操作に必要な操作ボタン、操作スイッチ等がそれぞれ搭載される。
【００２２】
なお、図１には被接続側ＢＤ２１が示され、被接続側ＢＤ２１は、被接続側アンテナ３１が備えられ、その他、接続側ＢＤ１と同等の構造とし、図示および説明を省略する。
【００２３】
接続側ＢＤ１および被接続側ＢＤ２１は、それぞれの接続側アンテナ１１および被接続側アンテナ３１を介して無線通信が行われる。接続側ＢＤ１が、種々のＢＤから、被接続側ＢＤ２１を識別することを可能とするために、接続側ＢＤ１に被接続側ＢＤ２１のＢＤ＿ＡＤＤＲを識別させ、接続側ＢＤ１に備える表示画面１５に被接続側２１のＢＤ＿ＡＤＤＲを表示させる。
【００２４】
図２は、接続側ＢＤ１の内部構造の一例を示す概略図である。
【００２５】
図２は、図１に示された接続側ＢＤ１を示し、接続側ＢＤ１には、接続側ＢＭ４１が搭載される。さらに、接続側ＢＭ４１には、例えば、２．４ＧＨｚ帯域をサポートする周波数ホッピング型のスペクトル拡散通信用のとしてのＲＦチップや、ＲＦトランシーバとの間でベース・バンド（ＢＢ）信号の送受信を制御するリンクコントローラとしてのＢＢチップ等が含まれる。
【００２６】
接続側ＢＤ１には、外部電源１２からの電圧を内部電源用電圧に変換（降圧）して接続側ＢＤ１内の各部に供給する電源部４２と、接続側ＢＤ１の全体制御を担うホストコントローラ（ＣＰＵコア、ＲＯＭ（フラッシュＲＯＭ、ＥＥＰＲＯＭ等）、ＲＡＭを内蔵）４３と、このホストコントローラ４３に接続されるＩ（Ｉｎｐｕｔ）／Ｏ（Ｏｕｔｐｕｔ）コントローラ４４と、このＩ／Ｏコントローラ４４にそれぞれ接続されるＳＲＡＭ４５と、操作部１３、表示器（図示しない）とが搭載される。
【００２７】
さらに、接続側ＢＤ１の接続側ＢＭ４１には、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）等のインターフェースを介してホストコントローラ４３が接続される。
【００２８】
また、接続側ＢＭ４１には、音声ＰＣＭ信号／音声アナログ信号変換用のＰＣＭコーデック（ＣＯＤＥＣ：ＣＯＤＥ／ＤＥＣＯＤＥ）４６が接続される。ＰＣＭコーデック４６には、アンプ（図示しない）を介してスピーカ／マイク４７がそれぞれ接続される。
【００２９】
ただし、図２に示された接続側ＢＤ１内部の構造は一例であるから、接続側ＢＤ１内部に接続側ＢＭ４１を搭載し、接続側ＢＤ１と被接続側２１とを無線通信可能とするものであれば、接続側ＢＤ１内部の構造は、図２に示された接続側ＢＤ１に限らない。
【００３０】
図３は、本発明に係るＢＤのアドレス表示桁数変更方法の実施の形態を示すフローチャートである。
【００３１】
図３は、図１に示された接続側ＢＤ１内部における動作を表す。
【００３２】
なお、図３に示されるフローチャートでは、出荷時に固定的に割り振られた被接続側ＢＤ２１の１６進数１２桁のＢＤ＿ＡＤＤＲを１６進数ｎ桁のＢＤ＿ＡＤＤＲに簡略化させ、１６進数ｎ桁のＢＤ＿ＡＤＤＲを図１に示された接続側ＢＤ１に登録させる。加えて、１６進数ｎ桁のＢＤ＿ＡＤＤＲを接続側ＢＤ１の表示装置１４に表示させる。
【００３３】
図１に示された接続側ＢＤ１内部に格納されるアドレステーブル（以下、「ＡＤＤＲ＿Ｔ」という。）に、１６進数１２桁の被接続側ＢＤ２１のＢＤ＿ＡＤＤＲと、１６進数ｎ桁の被接続側ＢＤ２１のＢＤ＿ＡＤＤＲとの対応表が複数保存されている。
【００３４】
まず、新規に登録を行う被接続側ＢＤ２１の１６進数１２桁のＢＤ＿ＡＤＤＲを、接続側ＢＤ１にて認識させる（ステップＳ１）。
【００３５】
次いで、１６進数１２桁の被接続側ＢＤ２１のＢＤ＿ＡＤＤＲを、１６進数ｎ桁のＢＤ＿ＡＤＤＲに簡略化するために、１６進数１２桁の被接続側ＢＤ２１のＢＤ＿ＡＤＤＲを１６ｎで割った余りを算出する。得られたｎ桁の余りを被接続側ＢＤ２１のＮｅｗ＿ＢＤ＿ＡＤＤＲとする（ステップＳ２）。
【００３６】
例えば、新規に登録を行なう１６進数１２桁の被接続側ＢＤ２１のＢＤ＿ＡＤＤＲに対して、１２桁のＢＤ＿ＡＤＤＲを２桁に簡略化するためには、ステップＳ２において、１６進数１２桁の被接続側ＢＤ２１のＢＤ＿ＡＤＤＲを２５６（ｎ＝２）で割ることになる。そして、得られた２桁の余りを被接続側ＢＤ２１のＮｅｗ＿ＢＤ＿ＡＤＤＲとする。
【００３７】
ただし、１６進数１２桁の被接続側ＢＤ２１のＢＤ＿ＡＤＤＲを１６ｎで割ったときの余りをＮｅｗ＿ＢＤ＿ＡＤＤＲとすることによって、異なったＢＤ＿ＡＤＤＲでも、同一のＮｅｗ＿ＢＤ＿ＡＤＤＲとなる可能性がある。よって、ステップＳ３以降により、同一のＮｅｗ＿ＢＤ＿ＡＤＤＲについての差別化を行なう。
【００３８】
被接続側ＢＤ２１のＮｅｗ＿ＢＤ＿ＡＤＤＲが接続側ＢＤ１のＡＤＤＲ＿Ｔ内部に既存するＢＤ＿ＡＤＤＲと一致するか否かの判断をする（ステップＳ３）。
【００３９】
ステップＳ３により、Ｙｅｓの場合、すなわち、被接続側ＢＤ２１のＮｅｗ＿ＢＤ＿ＡＤＤＲが接続側ＢＤ１のＡＤＤＲ＿Ｔ内部に既存するＢＤ＿ＡＤＤＲと一致する場合、既存するＢＤ＿ＡＤＤＲと差別化するために、１６進数ｎ桁のＮｅｗ＿ＢＤ＿ＡＤＤＲの文字属性を変更する（ステップＳ４）。
【００４０】
そして、１６進数１２桁の被接続側ＢＤ２１のＢＤ＿ＡＤＤＲと、文字属性を変更された１６進数ｎ桁のＮｅｗ＿ＢＤ＿ＡＤＤＲとを対応させ、対応表としてＡＤＤＲ＿Ｔに登録する（ステップＳ５）。
【００４１】
一方、ステップＳ３により、Ｎｏの場合、すなわち、被接続側ＢＤ２１のＮｅｗ＿ＢＤ＿ＡＤＤＲが接続側ＢＤ１のＡＤＤＲ＿Ｔ内部に既存するＢＤ＿ＡＤＤＲと一致しない場合、１６進数１２桁の被接続側ＢＤ２１のＢＤ＿ＡＤＤＲと、１６進数ｎ桁のＮｅｗ＿ＢＤ＿ＡＤＤＲ（文字属性変更なし）を対応させ、対応表としてＡＤＤＲ＿Ｔに登録する（ステップＳ５）。
【００４２】
最後に、種々のＢＤから、被接続側ＢＤ２１を識別するとき、接続側ＢＤ１のＡＤＤＲ＿Ｔに登録された対応表によって、１２桁の被接続側ＢＤ２１のＢＤ＿ＡＤＤＲをｎ桁のＢＤ＿ＡＤＤＲに変換する。そして、ｎ桁のＢＤ＿ＡＤＤＲ情報が、接続側ＢＤ１に接続される操作部１３に送信される。さらに、操作部１３から表示装置１４に送信され、ｎ桁のＢＤ＿ＡＤＤＲが表示画面１５に表示される（ステップＳ６）。
【００４３】
図３のフローチャートにより、１６進数１２桁の被接続側ＢＤ２１のＢＤ＿ＡＤＤＲを、１６進数ｎ桁のＢＤ＿ＡＤＤＲに簡素化でき、１６進数ｎ桁のＢＤ＿ＡＤＤＲによって被接続側ＢＤ２１を識別できる。
【００４４】
なお、表示画面１５に表示される文字属性の変更は、表示画面の特性および視認性を考慮して選ばれるものであり、例えば、反転文字、文字色、下線文字、囲い文字等を利用する。
【００４５】
さらに、図３に示されたフローチャートでは、１６進数１２桁の被接続側ＢＤ２１のＢＤ＿ＡＤＤＲを、１６進数ｎ桁のＢＤ＿ＡＤＤＲに変更する方法を示した。例えば、２４進数の被接続側ＢＤ２１のＢＤ＿ＡＤＤＲを、２４進数ｎ桁のＢＤ＿ＡＤＤＲに変更したい場合は、２４進数の被接続側ＢＤ２１のＢＤ＿ＡＤＤＲを２４ｎで割れば、その余りがｎ桁となり、ｎ桁のＢＤ＿ＡＤＤＲに変更できる。
【００４６】
図３に示されたフローチャートによると、１２桁の被接続側ＢＤのＢＤ＿ＡＤＤＲを１２桁未満の桁数に簡略化することで、ＢＤ＿ＡＤＤＲ表示装置を小型化できる。
【００４７】
図４は、本発明に係る操作部１３の一例を示すイメージ図である。
【００４８】
図４では、例えば、車内の設置空間・場所の制約から小型で、かつ、片手で操作する機能を有する図１に示された接続側ＢＤ１を示す。この接続側ＢＤ１に接続された操作部１３は、車内の、例えば、ハンドル、コラムシフトレバー等に固定して使用される。
【００４９】
また、操作部１３には表示装置１４が備えられ、さらに、被接続側ＢＤを選択するための被接続側切り替えスイッチ部５１が具備される。また、必要に応じて、音声通話のＯｎ／Ｏｆｆ等を制御する機能を有する音声通話制御スイッチ部５２が具備される。
【００５０】
さらに、表示装置１４に具備される表示画面１５には、識別される被接続側ＢＤに対応したＢＤ＿ＡＤＤＲが表示される。例えば、図４に示された接続側ＢＤの表示装置１４は、２桁の文字が表示可能である表示画面１５を有す。
【００５１】
図５は、本発明に係る表示画面１５の表示例を示すイメージ図である。
【００５２】
図５は、図４に示された接続側ＢＤに備えられる表示画面１５を示し、この表示画面１５には、文字属性が変更された２桁の被接続側ＢＤのＢＤ＿ＡＤＤＲが表示される。例えば、表示画面１５表示装置の１桁目に色つき文字「８」と、２桁目に下線文字「Ａ」が表示される。
【００５３】
また、表示画面１５は、ＬＥＤ（Ｌｉｇｈｔ  Ｅｍｉｔｔｉｎｇ  Ｄｉｏｄｅ）、ＬＶＤ（Ｌｉｑｕｉｄ  Ｃｒｙｓｔａｌ  Ｄｉｓｐｌａｙ）デバイス、ＶＦＤデバイス等を用いるものとする。
【００５４】
図５に示された表示画面１５には、被接続側ＢＤに対応したＢＤ＿ＡＤＤＲを、図３に示されたフローチャートによって変換し、抽出された２桁のＢＤ＿ＡＤＤＲがそのまま表示される。または、抽出された２桁のＢＤ＿ＡＤＤＲの文字属性を変更させて、変更されたＢＤ＿ＡＤＤＲが表示される。
【００５５】
ところで、場合によっては、表示装置１４の大きさを最小限にし、かつ、同一のＮｅｗ＿ＢＤ＿ＡＤＤＲが多くてＮｅｗ＿ＢＤ＿ＡＤＤＲの文字属性の変更では対応できない場合も有り得る。
【００５６】
その場合、ＢＤ＿ＡＤＤＲ表示装置１４の表示画面１５を自動的にまたは手動的にスクロールさせる機能をもたせることで、最小の表示画面１５で多桁のＢＤ＿ＡＤＤＲの表示が可能となる。
【００５７】
なお、図５に示された表示装置１４の表示画面１５には、被接続側ＢＤのＢＤ＿ＡＤＤＲの表示に限らず、被接続側の電話番号、登録済みの氏名、ＡＣＬ接続されているユニット名等の情報も表示することができる。
【００５８】
図５に示された接続側の表示装置の表示画面をスクロールさせることで、ＢＤ＿ＡＤＤＲ表示装置を小型化できる。
【００５９】
【発明の効果】
以上説明したように、本発明によれば、１２桁の被接続側ＢＤのＢＤ＿ＡＤＤＲを１２桁未満の桁数に簡略化すること、および、接続側の表示装置の表示画面をスクロールさせることで、ＢＤ＿ＡＤＤＲ表示装置を小型化できる。
【図面の簡単な説明】
【図１】接続側ＢＤと被接続側ＢＤ間の無線通信を示す概略図。
【図２】接続側ＢＤ１の内部構造の一例を示す概略図。
【図３】本発明に係るＢＤ＿ＡＤＤＲ表示桁数変更方法の実施の形態を示すフローチャート。
【図４】本発明に係る操作部の一例を示すイメージ図。
【図５】本発明に係る表示画面の表示例を示すイメージ図。
【符号の説明】
１  接続側ＢＤ
１１  接続側アンテナ
１２  外部電源
１３  操作部
１４  表示装置
１５  表示画面
２１  被接続側ＢＤ
３１  被接続側アンテナ
４１  接続側ＢＭ
４２  電源部
４３  ホストコントローラ
４４  Ｉ／Ｏコントローラ
４５  ＲＣＭコーデック
４６  スピーカ／マイク
５１  被接続側切り替えスイッチ部
５２  音声通話制御スイッチ部
【図１】
2004214904.tif 000003
【図２】
2004214904.tif 000004
【図３】
2004214904.tif 000005
【図４】
2004214904.tif 000006
【図５】
2004214904.tif 000007